(57)【特許請求の範囲】
【請求項１】
表面板、裏面板、これらの板の間に挟まれた仕切り板、及び、表面板又は仕切り
板から延長されたホルダー部を有する名札ケースであって、
上記表面板と上記仕切り板とで名札の収納部が形成され、上記仕切り板と上記裏面板とでティシュペーパーの収納部が形成され、
上記裏面板には、上記ティシュペーパーを１回分ずつ引き出せるようにスリットが設けられた、
ティシュペーパーケースとしての用途を兼ね備えたことを特徴とする名札ケース。
【発明の詳細な説明】
【技術分野】
【０００１】
この発明は、名札ケースに関する。
【背景技術】
【０００２】
従来の名札ケースの形状は、開口部から名前を書いた布等を出し入れするようになっている。
【０００３】
またポケットティシュは、小さく折りたたんだティシュペーパーを包装フィルムに収納して１回分ずつ引き出せるので、携帯に用いられている。
【０００４】
関連すると考えられる先行技術は、以下のとおりである。
【特許文献１】特開平０８−      ３３６（名札入れ付形態小物入れ）  これは、筆記具等の小物を収納して携帯するための袋に名札を合体させたものであり、ポケットティシュを収めるには不都合である。
【特許文献２】特開平０９−１３４１２６（名札等の卓上掲示用具）  これは、会合等で卓上に掲示することを目的とする名札である。退席後にポケットティシュケースとして使用するという個別の利用法である。
【特許文献３】特開昭５９−  ４１３８０（運動着用ポケット付ゼッケン名札）  これは、運動着のゼッケンとハンカチ等の収納袋を合体させたものであり、ポケットティシュケースとしては使えない。
【特許文献４】特開平０６−  ８７９８１（名札）
【特許文献５】実用登録  ３０４６０４９（名札）  これらは、胸ポケット用の筆記具等収納ケースに名札を合体させたものであり、ポケットティシュケースとしての利用には向いていない。
【発明の開示】
【発明が解決しようとする課題】
【０００５】
保育園児の頃、ミニサイズのポケットティシュをせっかく持って行っても、包装材がツルツルと滑りやすいため、例えばポケットからハンカチ等の他の物を出し入れする際に落としてしまったり、また、ティシュペーパーの引き出し口が破れやすく、中身を使いきらないうちにはみ出てきたりして不経済であるため、良い解決策が求められていた。小学校に入学して、胸部に名札を付けるようになり、その形や大きさがミニポケットティシュにぴったりだったので、これらを合体させることにより、上記の問題を解決することができると思い立った。
【課題を解決するための手段】
【０００６】
以上の課題を解決するために、本発明の名札ケースは、表側に設けられた名札の収納部と、裏側に設けられたティシュペーパーの収納部を有し、ティシュペーパーの収納部にはティシュペーパーを１回分ずつ引き出せるようにスリットを設けて、ティシュペーパーケースとしての用途を兼ね備えたことを特徴とする。
【発明の効果】
【０００７】
この発明によれば、名札の裏側にティシュペーパーケースを兼ね備えるので、ティシュペーパーを１回分ずつ引き出しやすく、包装フィルムが破れるのを防ぎ、中身もはみ出しにくい。また、ポケットやバッグから取り出そうとして落とすこともなく、携帯しやすいという利点があり、更に、名札は必ず身に付けるものなので、これにポケットティシュを収納すれば忘れることもない。
【０００８】
二層式であるため、ポケットティシュの補充や交換の時に表面の名札側に支障はなく、マチを入れたことにより、ポケットティシュの挿入が容易で、かつ、ずり上がってくることを防げる。
【０００９】
素材として、薄い透明な再生樹脂等のシートを用いると、軽量で丈夫であり、端部を圧接や溶接等により簡単に接着することができるため、低コストで製造できる。また、例えば、布や合成皮革等の素材を用いると、耐久性に優れ、デザイン性も高くなると考えられる。
【００１０】
なお、特に学童用名札の場合は、ミニサイズのポケットティシュに対応するものである。
【発明を実施するための最良の形態】
【００１１】
実施例１は、学童用の名札ケースの例である。
【００１２】
子供は、ポケットティシュを落としたり、包装フィルムを破いてしまって中身がはみ出てきたりする場合が多い。そのため、特にミニポケットティシュの形状に合わせて、引き出し口を縦に設け、ティシュペーパーを１回分ずつ引き出しやすくした。ティシュペーパーケースを名札として併用することで、最良の効果がある形態と考えられる。
【００１３】
また、特にミニポケットティシュは軽量であり、安全ピンで着衣に付けることによる生地への負荷的影響が軽度である。
【実施例１】
【００１４】
この発明の、一実施形態を図１〜６に示す。
【００１５】
なお、名札とは、名前等を表示した布・紙等を指す。
【００１６】
この名札ケースは、薄い透明な再生樹脂等のシートで作られている。本体部１は、２の挿入口から名札を入れる名札収納部３と、４の挿入口からポケットティシュを入れるポケットティシュ収納部５を有する。ふたつの収納部は、仕切板６により二層式となっているので、ポケットティシュの補充や交換の時に表面の名札側に支障はなく、底面板７がマチになっているため、ポケットティシュの挿入が容易で、かつ、ずり上がってくることを防げる。更に、裏面板８にティシュペーパーの引き出し口となるスリット９を設けたことで、容易に１回分ずつ引き出すことができる。また、ホルダー部１０は表面板１１か仕切板６のいずれかの延長として付随しており、安全ピン１２を用いて利用できる。
【実施例２】
【００１７】
実施例２は、従来の、首下げタイプや、止め具等で固定するタイプの名札ケースの例で、通常のサイズのポケットティシュに対応する。
【００１８】
子供に限らず、鼻炎症状の時や飲食時など、ティシュペーパーを必要とする機会は多いものである。そのような時に、手軽に簡単に取り出せるように、ポケットティシュの形状に合わせて横にスリットを設けた形態である。
【００１９】
この発明の、ほかの実施形態である実施例２は、図７〜１２に示すとおりである。
【産業上の利用可能性】
【００２０】
名札の裏側にティシュペーパーケースを兼ね備えるので、ティシュペーパーを１回分ずつ引き出しやすく、包装フィルムが破れるのを防ぎ、中身もはみ出しにくい。また、ポケットやバッグから取り出そうとして落とすこともなく、携帯しやすいという利点があり、更に、名札は必ず身に付けるものなので、これにポケットティシュを収納すれば忘れることもない。
【００２１】
二層式であるため、ポケットティシュの補充や交換の時に表面の名札側に支障はなく、マチを入れたことにより、ポケットティシュの挿入が容易で、かつ、ずり上がってくることを防げる。
【００２２】
素材として、薄い透明な再生樹脂等のシートを用いると、軽量で丈夫であり、端部を圧接や溶接等により簡単に接着することができるため、低コストで製造できる。また、例えば、布や合成皮革等の素材を用いると、耐久性に優れ、デザイン性も高くなると考えられる。
【００２３】
なお、特に学童用名札の場合は、ミニサイズのポケットティシュに対応するものである。
【図面の簡単な説明】
【００２４】
【図１】実施例１を表側から見た表面図である。
【図２】実施例１を裏側から見た裏面図である。
【図３】実施例１を上側から見た上面図である。
【図４】実施例１を底側から見た底面図である。
【図５】実施例１を側面から見た側面図である。
【図６】実施例１を中央で縦に断面し、側面から見た断面図である。
【図７】実施例２を表側から見た表面図である。
【図８】実施例２を裏側から見た裏面図である。
【図９】実施例２を上側から見た上面図である。
【図１０】実施例２を底側から見た底面図である。
【図１１】実施例２を側面から見た側面図である。
【図１２】実施例２を中央で縦に断面し、側面から見た断面図である。
【符号の説明】
【００２５】
１  名札ケースの本体部（薄い透明な再生樹脂等のシートで作られている）
２  名札の挿入口
３  名札の収納部
４  ポケットティシュの挿入口
５  ポケットティシュの収納部
６  仕切り板
７  底面板（マチとなる）
８  裏面板
９  ティシュペーパーの引き出し口となるスリット
１０  ホルダー部
１１  表面板
１２  安全ピン
【図１】
0004471231.tif 000002
【図２】
0004471231.tif 000003
【図３】
0004471231.tif 000004
【図４】
0004471231.tif 000005
【図５】
0004471231.tif 000006
【図６】
0004471231.tif 000007
【図７】
0004471231.tif 000008
【図８】
0004471231.tif 000009
【図９】
0004471231.tif 000010
【図１０】
0004471231.tif 000011
【図１１】
0004471231.tif 000012
【図１２】
0004471231.tif 000013